(57)【特許請求の範囲】
【請求項１】
天井に吊り下げられる外箱内に送風機及び熱交換器を備え、前記外箱の下面には、吸込み口及び吹出し口を有した所定厚さの化粧パネルを備え、この化粧パネルの前記吹出し口に長手側に延びる風向変更用のルーバーを備えた天井埋込形空気調和装置において、
前記ルーバーを駆動するモータを備え、
前記化粧パネルは、当該化粧パネルの長手側に延びて吹出し口を構成するフレームと、当該化粧パネルの短手側に延びて、前記ルーバーの駆動機構を保持するフレームと、このフレームの反対側に配置されるフレームをほぼ枠状に組むと共に、短手側に延びる各々のフレームの上に箱形のフレームを重ね合わせて構成され、
前記短手側に延びるフレームの略中央に凹所を設け、この凹所に、前記箱形のフレームに形成した開口を貫通して上方に延出する保持板を固定し、この保持板に、前記モータを前記箱形のフレームの前記開口にその一部を埋め込ませて固定したことを特徴とする天井埋込形空気調和装置。
【請求項２】
一対の吹出し口を備え、各吹出し口に長手側に延びる風向変更用のルーバーを夫々備え、これらルーバーを単一のモータで駆動する構成としたことを特徴とする請求項１記載の天井埋込形空気調和装置。
【請求項３】
前記化粧パネルの短手側に延び、前記ルーバーの駆動機構を覆うカバーを備え、このカバーには前記箱形のフレームから突出した前記モータ及び前記保持板の残りの部分を覆う突出部を備えたことを特徴とする請求項１又は２記載の天井埋込形空気調和装置。
【発明の詳細な説明】
【０００１】
【発明の属する技術分野】
本発明は、化粧パネルの吹出し口に風向変更用のルーバーを備えた天井埋込形空気調和装置に関する。
【０００２】
【従来の技術】
一般に、２方向カセットや４方向カセット等と呼称される天井埋込形の空気調和装置であって、天井に吊り下げられる外箱内に送風機及び熱交換器を備え、前記外箱の下面には、吸込み口及び吹出し口を有した所定厚さの化粧パネルを備え、この化粧パネルの前記吹出し口に長手側に延びる風向変更用のルーバーを備えた天井埋込形空気調和装置が知られている。
【０００３】
この種の空気調和装置では、ルーバーを駆動するモータを備え、このモータが化粧パネルの裏面に突出して設けられている。
【０００４】
【発明が解決しようとする課題】
しかし、従来の構成では、モータが化粧パネルの裏面に突出して設けられているため、このモータの駆動機構をカバーで覆った場合、カバーを含んだ化粧パネルの厚さが厚くなり、薄型化に逆行するという問題がある。近年、化粧パネルの薄型化が要求され、この薄型化によれば、梱包材料費の削減が図れ、保管、物流費の削減が図れる等の利点が得られる。
【０００５】
そこで、本発明の目的は、上述した従来の技術が有する課題を解消し、吹出し口にルーバーを備えたものにおいて、化粧パネルの薄型化を達成できる天井埋込形空気調和装置を提供することにある。
【０００６】
【課題を解決するための手段】
上記目的を達成するため、請求項１記載の発明は、天井に吊り下げられる外箱内に送風機及び熱交換器を備え、前記外箱の下面には、吸込み口及び吹出し口を有した所定厚さの化粧パネルを備え、この化粧パネルの前記吹出し口に長手側に延びる風向変更用のルーバーを備えた天井埋込形空気調和装置において、前記ルーバーを駆動するモータを備え、前記化粧パネルは、当該化粧パネルの長手側に延びて吹出し口を構成するフレームと、当該化粧パネルの短手側に延びて、前記ルーバーの駆動機構を保持するフレームと、このフレームの反対側に配置されるフレームをほぼ枠状に組むと共に、短手側に延びる各々のフレームの上に箱形のフレームを重ね合わせて構成され、前記短手側に延びるフレームの略中央に凹所を設け、この凹所に、前記箱形のフレームに形成した開口を貫通して上方に延出する保持板を固定し、この保持板に、前記モータを前記箱形のフレームの前記開口にその一部を埋め込ませて固定したことを特徴とする。
【０００７】
請求項２記載の発明は、請求項１記載のものにおいて、一対の吹出し口を備え、各吹出し口に長手側に延びる風向変更用のルーバーを夫々備え、これらルーバーを単一のモータで駆動する構成としたことを特徴とする。
【０００８】
請求項３記載の発明は、請求項１又は２記載のものにおいて、前記化粧パネルの短手側に延び、前記ルーバーの駆動機構を覆うカバーを備え、このカバーには前記箱形のフレームから突出した前記モータ及び前記保持板の残りの部分を覆う突出部を備えたことを特徴とする。
【０００９】
【発明の実施の形態】
以下、本発明の一実施形態を添付図面に従って説明する。
【００１０】
図１は、２つの空気吹出し口を備えた、一般的に、いわゆる２方向カセットと呼称される天井埋込型空気調和機を示している。１は箱形の室内機本体を示し、この室内機本体１には、送風機３、熱交換器５、発泡スチロール製のドレンパン７、図示を省略したドレンポンプ等の各種機器類が収納されている。
【００１１】
この室内機本体１は、被調和室の天井に複数本の吊りボルト（図示せず）を介して吊り下げられ、この室内機本体１の下側を向いた開口面には、化粧パネル９が重ね合わせて取り付けられている。
【００１２】
この化粧パネル９は所定厚さＨ（図３参照）を持ち、中央部には吸込み口１１を備え、その両側には一対の吹出し口１３を備え、一対の吹出し口１３には、図２に示すように、当該吹出し口１３の長手側に延びる風向変更用のルーバー１５を夫々備えて構成されている。この化粧パネル９は、長手側に延びて、吹出し口１３を構成するフレーム９Ａと、短手側に延びて、ルーバー１５の駆動機構を保持するフレーム９Ｂと、このフレーム９Ｂと反対側に配置されるフレーム９Ｃとをほぼ枠状に組んで構成されている。
【００１３】
ルーバー１５の両端部には、軸１５Ａ，１５Ｂが形成されている。一方の軸１５Ａは、フレーム９Ｃの孔１６を貫通して、当該フレーム９Ｃに回転自在に保持され、他方の軸１５Ｂは、ルーバー１５の駆動機構を保持するフレーム９Ｂの孔１７を貫通して、当該フレーム９Ｂに回転自在に保持されている。短手側に延びる夫々のフレーム９Ｂ，９Ｃの上には、箱形のフレーム９Ｄ，９Ｅが重ね合わされて固定されている。
【００１４】
フレーム９Ｂ側には、図３に示すように、ルーバー１５を回転駆動する駆動機構２０が保持されている。
【００１５】
この駆動機構２０は、単一のモータ２１を備える。このモータ２１は保持板２２に保持され、この保持板２２は、フレーム９Ｂの略中央に位置する凹所９Ｆ（図２）に固定され、箱形のフレーム９Ｄの開口９Ｇ（図２）を貫通して上方に延出し、従って、このモータ２１の一部は、化粧パネル９の裏面で、所定厚さＨ内に埋め込んで設けられている。
【００１６】
フレーム９Ｄの開口９Ｇは、フレーム９Ｄの図３中上面側ばかりでなく、側面側にも切りかかれており、この側面側に切りかかれた開口９Ｊを通じてモータ２１の駆動軸２１Ａが突出している。
【００１７】
このモータ２１の駆動軸２１Ａには、図４に示すように、回転子２３が連結されている。この回転子２３にはピン部２４を介して固定子２５が形成され、この固定子２５には係止軸２６が形成されている。この係止軸２６には、一方のリンク３１の一端３１Ａが引っかけられ、上記ピン２４には、他方のリンク３３の一端３３Ａが引っかけられている。また、一方のリンク３１の他端３１Ｂには、クランク３２が引っかけられ、他方のリンク３３の他端３３Ｂには、クランク３４が引っかけられている。
【００１８】
クランク３２は、連結棒３２Ａの両端にアーム３２Ｂ，３２Ｃを備えて構成されている。一方のアーム３２Ｂのピン３２Ｄには、上述したように、リンク３１の他端３１Ｂが引っかけられ、このアーム３２Ｂの別のピン３２Ｅは、図３に示すように、スリーブ３５を介して、箱形のフレーム９Ｄに回転自在に保持されている。また、連結棒３２Ａのアーム３２Ｃには連結子３２Ｆが設けられ、この連結子３２Ｆは、箱形のフレーム９Ｄの開口９Ｈを貫通し、箱形のフレーム９Ｄ内で、上記ルーバー１５の一方の軸１５Ａに連結されている。図４において、クランク３４は、連結棒３４Ａの両端にアーム３４Ｂ，３４Ｃを備えて構成されている。一方のアーム３４Ｂのピン３４Ｄには、上述したように、リンク３３の他端３３Ｂが引っかけられ、このアーム３４Ｂの別のピン３４Ｅは、図３に示すように、スリーブ３６を介して、箱形のフレーム９Ｄに回転自在に保持されている。また、連結棒３４Ａのアーム３４Ｃには連結子３４Ｆが設けられ、この連結子３４Ｆは、箱形のフレーム９Ｄの開口９Ｉを貫通し、ルーバー１５の他方の軸１５Ａに連結されている。
【００１９】
フレーム９Ｂ側には、図３に示すように、ルーバー１５の駆動機構２０を覆うカバー４１が設けられ、このカバー４１には、化粧パネル９の所定厚さＨ以上に突出した、モータ２１及び保持板２２の残りの部分を覆う、箱形の突出部４１Ａが一体的に形成されている。
【００２０】
本実施形態では、ルーバー１５を駆動するモータ２１の一部を、化粧パネル９の所定厚さＨ内に埋め込んで設けているため、全体的な化粧パネル９の厚さが薄くなり、この薄型化によって、化粧パネル９の梱包材料費の削減が図れ、保管、物流費の削減等が図れる。
【００２１】
以上、一実施の形態に基づいて本発明を説明したが、本発明は、これに限定されるものでないことは明らかである。
【００２２】
【発明の効果】
本発明では、ルーバーモータの一部を化粧パネルの所定厚さ内に埋め込んで設けているため、化粧パネルの厚さが薄くなり、化粧パネルの梱包材料費の削減、保管、物流費の削減が図られる。
【図面の簡単な説明】
【図１】本発明による天井埋込形空気調和装置の一実施形態を示す断面図である。
【図２】化粧パネルの分解斜視図である。
【図３】化粧パネルと駆動機構の分解斜視図である。
【図４】駆動機構の分解斜視図である。
【符号の説明】
１  室内機本体
３  送風機
５  熱交換器
９  化粧パネル
１５  ルーバー
２０  駆動機構
２１  モータ
【図１】
0003889641.tif 000002
【図２】
0003889641.tif 000003
【図３】
0003889641.tif 000004
【図４】
0003889641.tif 000005